【手続補正書】
【提出日】平成28年2月1日(2016.2.1)
【手続補正１】
【補正対象書類名】特許請求の範囲
【補正対象項目名】全文
【補正方法】変更
【補正の内容】
【特許請求の範囲】
【請求項１】
オーディオ信号処理の方法であって、前記方法は、
第１の音場を記述する基底関数係数の第１のセットに、第１のオーディオ信号および前記第１のオーディオ信号に関する空間情報を変換することと、ここにおいて前記第１のオーディオ信号は、以下のフォーマット：チャネルベースまたはオブジェクトベースのうちの１つのフォーマットである、
結合された音場を記述する基底関数係数の結合されたセットを生成するために、基底関数係数の第２のセットと前記基底関数係数の第１のセットを結合することと、ここにおいて前記基底関数係数の第２のセットは、第２のオーディオ信号に関連付けられた第２の音場を記述する、
前記基底関数係数の結合されたセットを符号化することと、を備える、方法。
【請求項２】
前記第１のオーディオ信号または前記第２のオーディオ信号のうちの少なくとも１つは、オーディオサンプルの対応するストリームのフレームである、請求項１に記載の方法。
【請求項３】
前記第１のオーディオ信号または前記第２のオーディオ信号のうちの少なくとも１つは、パルス符号変調（ＰＣＭ）ストリームのフレームである、請求項１に記載の方法。
【請求項４】
前記第１のオーディオ信号および前記第２のオーディオ信号の各々に関する前記それぞれの空間情報は、空間における方向を示す、請求項１に記載の方法。
【請求項５】
前記第１のオーディオ信号および前記第２のオーディオ信号の各々に関する前記それぞれの空間情報は、前記第１のオーディオ信号または前記第２のオーディオ信号のそれぞれのソースの空間におけるロケーションを示す、請求項１に記載の方法。
【請求項６】
前記第１のオーディオ信号および前記第２のオーディオ信号の各々に関する前記それぞれの空間情報は、前記第１のオーディオ信号または前記第２のオーディオ信号のそれぞれの拡散率（diffusivity）を示す、請求項１に記載の方法。
【請求項７】
前記第１のオーディオ信号は、ラウドスピーカチャネルを備える、請求項１に記載の方法。
【請求項８】
前記オーディオ信号および前記第１のオーディオ信号に関する前記空間情報を含むオーディオオブジェクトを取得することをさらに備える、請求項１に記載の方法。
【請求項９】
前記基底関数係数の第１のセットの各基底関数係数は、直交基底関数のセットのうちの一意的なものに対応する、請求項１に記載の方法。
【請求項１０】
前記基底関数係数の第１のセットは、第１の空間軸に沿う方が前記第１の空間軸に直交する第２の空間軸に沿うよりもより高い解像度で空間を記述する、請求項１に記載の方法。
【請求項１１】
前記基底関数係数の第１のセットの各基底関数係数は、球面調和基底関数のセットのうちの一意的なものに対応する、請求項１に記載の方法。
【請求項１２】
前記基底関数係数の第１のセットまたは前記基底関数係数の第２のセットのうちの少なくとも１つは、第１の空間軸に沿う方が前記第１の空間軸に直交する第２の空間軸に沿うよりもより高い解像度で対応する音場を記述する、請求項１に記載の方法。
【請求項１３】
前記基底関数係数の第１のセットは、少なくとも２空間次元における前記第１の音場を記述し、前記基底関数係数の第２のセットは、少なくとも２空間次元における前記第２の音場を記述する、請求項１に記載の方法。
【請求項１４】
前記基底関数係数の第１のセットまたは前記基底関数係数の第２のセットのうちの少なくとも１つは、３空間次元における対応する音場を記述する、請求項１に記載の方法。
【請求項１５】
前記基底関数係数の第１のセットに含まれる基底関数係数の合計数が、前記基底関数係数の第２のセットに含まれる基底関数係数の合計数より小さい、請求項１に記載の方法。
【請求項１６】
前記基底関数係数の結合されたセットに含まれる基底関数係数の合計数は、前記基底関数係数の第１のセットに含まれる前記基底関数係数の合計数に少なくとも等しく、前記基底関数係数の第２のセットに含まれる前記基底関数係数の合計数に少なくとも等しい、請求項１５に記載の方法。
【請求項１７】
前記基底関数係数の第２のセットと前記基底関数係数の第１のセットを結合することは、前記基底関数係数の結合されたセットの少なくとも複数の前記基底関数係数の各々に関して、前記基底関数係数を生成するために、前記基底関数係数の第１のセットの対応する基底関数係数および前記基底関数係数の第２のセットの対応する基底関数係数を合計することを備える、請求項１に記載の方法。
【請求項１８】
命令を記憶した非一時的なコンピュータ可読データ記憶媒体であって、前記命令は、実行されると、オーディオ信号処理のためのデバイスの１つまたは複数のプロセッサに、
第１の音場を記述する基底関数係数の第１のセットに、第１のオーディオ信号および前記第１のオーディオ信号に関する空間情報を変換することと、ここにおいて前記第１のオーディオ信号は、以下のフォーマット：チャネルベースまたはオブジェクトベースのうちの１つのフォーマットである、
結合された音場を記述する基底関数係数の結合されたセットを生成するために、基底関数係数の第２のセットと前記基底関数係数の第１のセットを結合することと、ここにおいて前記基底関数係数の第２のセットは、第２のオーディオ信号に関連付けられた第２の音場を記述する、
前記基底関数係数の結合されたセットを符号化することと、
を行わせる、非一時的なコンピュータ可読データ記憶媒体。
【請求項１９】
オーディオ信号処理のための装置であって、前記装置は、
第１の音場を記述する基底関数係数の第１のセットに、第１のオーディオ信号および前記第１のオーディオ信号に関する空間情報を変換するための手段と、ここにおいて前記第１のオーディオ信号は、以下のフォーマット：チャネルベースまたはオブジェクトベースのうちの１つのフォーマットである、
結合された音場を記述する基底関数係数の結合されたセットを生成するために、基底関数係数の第２のセットと前記基底関数係数の第１のセットを結合するための手段と、ここにおいて前記基底関数係数の第２のセットは、第２のオーディオ信号に関連付けられた第２の音場を記述する、
前記基底関数係数の結合されたセットを符号化するための手段と、を備える、装置。
【請求項２０】
前記第１のオーディオ信号および前記第２のオーディオ信号の各々に関する前記それぞれの空間情報は、空間における方向を示す、請求項１９に記載の装置。
【請求項２１】
前記第１のオーディオ信号は、ラウドスピーカチャネルを備える、請求項１９に記載の装置。
【請求項２２】
前記装置は、前記第１のオーディオ信号および前記第１のオーディオ信号に関する前記第１の空間情報を含むオーディオオブジェクトを解析するための手段をさらに含む、請求項１９に記載の装置。
【請求項２３】
前記基底関数係数の第１のセットの各基底関数係数は、直交基底関数のセットのうちの一意的なものに対応する、請求項１９に記載の装置。
【請求項２４】
前記基底関数係数の第１のセットの各基底関数係数は、球面調和基底関数のセットのうちの一意的なものに対応する、請求項１９に記載の装置。
【請求項２５】
前記基底関数係数の第１のセットは、少なくとも２空間次元における前記第１の音場を記述し、前記基底関数係数の第２のセットは、少なくとも２空間次元における前記第２の音場を記述する、請求項１９に記載の装置。
【請求項２６】
前記基底関数係数の第１のセットまたは前記基底関数係数の第２のセットのうちの少なくとも１つは、３空間次元における対応する音場を記述する、請求項１９に記載の装置。
【請求項２７】
前記基底関数係数の第１のセットにおける基底関数係数の合計数が、前記基底関数係数の第２のセットにおける基底関数係数の合計数より小さい、請求項１９に記載の装置。
【請求項２８】
オーディオ信号処理のためのデバイスであって、前記デバイスは、
第１の音場を記述する基底関数係数の第１のセットに、第１のオーディオ信号および前記第１のオーディオ信号に関する空間情報を変換するように構成された分析器と、ここにおいて前記第１のオーディオ信号は以下のフォーマット：チャネルベースまたはオブジェクトベースのうちの１つのフォーマットである、
第２の音場を記述する基底関数係数の結合されたセットを生成するために、基底関数係数の第２のセットと前記基底関数係数の第１のセットを結合するように構成された結合器と、ここにおいて前記基底関数係数の第２のセットは、第２のオーディオ信号に関連付けられた第２の音場を記述する、
前記基底関数係数の結合されたセットを符号化するように構成されたエンコーダと、を備える、デバイス。
【請求項２９】
前記第１のオーディオ信号および前記第２のオーディオ信号の各々に関する前記それぞれの空間情報は、空間における方向を示す、請求項２８に記載のデバイス。
【請求項３０】
前記第１のオーディオ信号は、ラウドスピーカチャネルを備える、請求項２８に記載のデバイス。
【請求項３１】
前記第１のオーディオ信号および前記第１のオーディオ信号に関する前記第１の空間情報を含むオーディオオブジェクトを解析するように構成されたパーザをさらに備える、請求項２８に記載のデバイス。
【請求項３２】
基底関数係数の前記第１のセットの各基底関数係数は、直交基底関数のセットのうちの一意的なものに対応する、請求項２８に記載のデバイス。
【請求項３３】
前記基底関数係数の第１のセットの各基底関数係数は、球面調和基底関数のセットのうちの一意的なものに対応する、請求項２８に記載のデバイス。
【請求項３４】
前記基底関数係数の第１のセットは、少なくとも２空間次元における前記第１の音場を記述し、前記基底関数係数の第２のセットは、少なくとも２空間次元における前記第２の音場を記述する、請求項２８に記載のデバイス。
【請求項３５】
前記基底関数係数の第１のセットまたは前記基底関数係数の第２のセットのうちの少なくとも１つは、３空間次元における対応する音場を記述する、請求項２８に記載のデバイス。
【請求項３６】
前記基底関数係数の第１のセットにおける基底関数係数の合計数が、前記基底関数係数の第２のセットにおける基底関数係数の合計数より小さい、請求項２８に記載のデバイス。
【請求項３７】
前記第１のオーディオ信号または前記第２のオーディオ信号のうちの少なくとも１つに関連付けられたオーディオ信号を捕捉するように構成された１つまたは複数のマイクロフォンをさらに備える、請求項２８に記載のデバイス。